(57)【要約】【課題】  情報の送受信時間を短縮することができるとともに、送受信した情報を補完することが可能な無線通信中継装置の提供。【解決手段】  ハンディ通信ターミナル１０は、Ｂｌｕｅｔｏｏｔｈ通信とＰＨＳ通信とを中継可能になされているとともに、さらにフラッシュメモリ２４を有しており、Ｂｌｕｅｔｏｏｔｈ通信とＰＨＳ通信との無線通信中継時に、一側から受信した中継するデータを一旦フラッシュメモリ２４に格納した後、他側へ送信する。【選択図】      図１
2005027265.tif 000002
【特許請求の範囲】
【請求項１】
第１の無線通信と第２の無線通信とを中継する無線通信中継装置であって、
情報を記憶する記憶装置を有しており、
第１の無線通信と第２の無線通信との無線通信中継時に、一側から受信した中継する情報を一旦前記記憶装置に格納した後、所定のタイミングで順次他側へ送信することを特徴とする無線通信中継装置。
【請求項２】
前記記憶装置に格納された情報は、情報消去操作がなされるまで保存されることを特徴とする請求項１に記載の無線通信中継装置。
【請求項３】
前記記憶装置に、送受信履歴が保存されることを特徴とする請求項１又は２に記載の無線通信中継装置。
【請求項４】
前記無線通信の少なくとも一つが、ＰＨＳ又はＦＯＭＡ（登録商標）又はＤｏＰａ（登録商標）又はＢｌｕｅｔｏｏｔｈ（登録商標）であることを特徴とする請求項１又は２又は３に記載の無線通信中継装置。
【請求項５】
前記無線通信の少なくとも一つが、無線ＬＡＮ規格のＩＥＥＥ８０２．１１に準拠しており、本無線通信中継装置を無線ＬＡＮベースステーションとして使用可能としたことを特徴とする請求項１又は２又は３又は４に記載の無線通信中継装置。
【請求項６】
前記無線通信の少なくとも一つが、無線通信機能を拡張する機能拡張カードによって行われるとともに、本無線通信中継装置が該機能拡張カードを接続するカードスロットを有していることを特徴とする請求項１又は２又は３又は４又は５に記載の無線通信中継装置。
【請求項７】
前記無線通信機能を拡張する機能拡張カードが、ＳＤ、ＣＦ、ＰＣＭＣＩＡ、メモリスティック、スマートメディアのうち何れかのＩ／Ｏカード規格に準拠していることを特徴とする請求項１又は２又は３又は４又は５又は６に記載の無線通信中継装置。
【請求項８】
本無線通信中継装置が、バッテリが搭載可能になされた携帯型であることを特徴とする請求項１又は２又は３又は４又は５又は６又は７に記載の無線通信中継装置。
【発明の詳細な説明】
【発明の詳細な説明】
【技術分野】
【０００１】  本発明は、異なる方式間の無線通信を中継して、異なる方式間での無線通信を可能とする無線通信中継装置に関する。
【背景技術】
【０００２】  近年、多様な無線通信方式によって無線通信による情報の送受信が行われているため、異なる方式の無線通信を中継し、接続する装置が開発されている（例えば特許文献１）。例えば、ブルートゥース（商標）やワイヤレスＬＡＮなどの短距離無線通信と携帯電話網やＰＨＳ網などの遠距離無線通信を接続する場合などに用いられている。【０００３】  具体的には、ソニー社製「ＢｌｕｅｔｏｏｔｈモデムアダプタＢＴＡ−ＮＷＰ」（非特許文献１参照）、及び本出願人であるハギワラシスコム社製「ＢｌｕｅｔｏｏｔｈモバイルアクセスステーションＢ−ｐｏｒｔ」（非特許文献２参照）がそれに当たる。【０００４】  このような無線通信中継装置は、Ｂｌｕｅｔｏｏｔｈ無線モジュールを本体に内蔵しているとともに、所定の規格に準拠したカードスロットを有している。そして、該カードスロットに所定の公衆回線通信カードを装着することにより、公衆回線通信カードからインターネット網へダイヤルアップ接続を行い、Ｂｌｕｅｔｏｏｔｈ無線機能を有する情報端末がインターネット接続手段を有していない場合であっても、Ｂｌｕｅｔｏｏｔｈから公衆回線を介してインターネット網へ接続することを可能としている。【０００５】  また、これらの無線通信中継装置の主眼としている機能は、デジタルビデオカメラやＰＤＡ（Ｐｅｒｓｏｎａｌ  Ｄｉｇｉｔａｌ  Ａｓｓｉｓｔａｎｔｓ）などの持ち歩いて使用するハンディタイプの情報端末などに比較的電力消費の少ない短距離無線通信機能を搭載し、電力を消耗しやすい長距離無線通信機能を比較的大型のバッテリを持つ無線通信中継装置側に搭載して分離することで、システム全体の使用時間を大幅に増加させる点にある。なお、この場合、このような無線通信中継装置は、鞄の中などに入れて携帯する。【０００６】
【特許文献１】  特開２００１−３５９０７７号
【非特許文献１】「ｈｔｔｐ：／／ｗｗｗ．ｅｃａｔ．ｓｏｎｙ．ｃｏ．ｊｐ／ｃａｍｅｒａ／ｖｉｄｅｏａｃｃ／ａｃｃ／ｉｎｄｅｘ．ｃｆｍ？ＰＤ＝７３６２」（ウェブページ、２００３年６月現在）
【非特許文献２】「ｈｔｔｐ：／／ｗｗｗ．ｈｓｃｊｐｎ．ｃｏ．ｊｐ／ｐｒｏｄｕｃｔｓ＿ｓ．ｐｈｐ？ｉｄｎｏ＝４７」（ウェブページ、２００３年６月現在）
【発明が解決しようとする課題】
【０００７】  ところが、このような無線通信中継装置では、Ｂｌｕｅｔｏｏｔｈ通信から公衆回線を介してインターネット網へ接続する場合において、Ｂｌｕｅｔｏｏｔｈセッション処理、公衆回線接続処理、ログオン（ｌｏｇｏｎ）、或いは認証処理などによりデータの送受信時間にかなりの時間を要するという課題があった。また、送受信したデータの破損があった場合に、送信側でデータが保存がされていなければデータを補完することができなかった。
【０００８】  そこで、本発明は、このような問題に鑑みなされたものであり、情報の送受信時間を短縮することができるとともに、送受信した情報を補完することが可能な無線通信中継装置を提供することを目的とする。
【課題を解決するための手段及び発明の効果】
【０００９】  上記課題を解決するためになされた請求項１に記載の無線通信中継装置は、第１の無線通信と第２の無線通信とを中継する無線通信中継装置であって、情報を記憶する記憶装置を有しており、第１の無線通信と第２の無線通信との無線通信中継時に、一側から受信した中継する情報を一旦前記記憶装置に格納した後、他側へ送信することを特徴とする。
【００１０】  このため、例えば、第１の無線通信と第２の無線通信との無線通信中継時に、一側から受信した中継する情報を一旦前記記憶装置に格納した後、他側へ送信するため、受信側へのＢｌｕｅｔｏｏｔｈセッション処理、公衆回線接続処理、ログオン、或いは認証処理中であっても、送信側から送られた情報を前記記憶装置に格納することができる。そして、受信側への接続が完了した時点で前記記憶装置に格納された情報を受信側へ送信する。そのため、所謂「データの先読み機能」と同様な効果を得ることができ、受信側へのＢｌｕｅｔｏｏｔｈセッション処理、公衆回線接続処理、ログオン、或いは認証処理などに要する時間を無駄にすることなく有効に処理が行われるため、総合的な情報の送受信処理にかかる時間を大幅に短縮することが可能になるとともに、データの送信処理を安定させることができる。
【００１１】  ところで、請求項２に記載のように、無線通信中継装置は、更に、情報消去操作がなされるまで保存されるため、万一、送受信した情報が破損した場合であっても、前記記憶装置に格納されている情報を受信側へ供給することで、破損した情報を補完することが可能になる。
【００１２】  また、請求項３に記載のように、無線通信中継装置は、更に、送受信履歴が保存されるため、それまでの情報の通信履歴が残ることになるため、通信履歴データをデータベースに保存したり、プリンタなどで通信履歴を印刷することにより、通信履歴の確認、保存が可能になる。
【００１３】  また、請求項８に記載のように、無線通信中継装置は、更に、バッテリが搭載可能になされた携帯型であるため、携帯型ストレージとしての機能も有することになる。
【発明を実施するための最良の形態】
【００１４】  以下、本発明が適用された実施例について図面を用いて説明する。尚、本発明の実施の形態は、下記の実施例に何ら限定されることはなく、本発明の技術的範囲に属する限り種々の形態を採りうる。また、以下の各実施例においては、説明済みの実施例と構成、作用が略同一であるため重複する説明となるものは省略し、相違する部分についてのみ詳述するものとする。
【第１実施例】
【００１５】  本発明の実施の形態としての第１実施例を、図面を利用して以下に説明する。本第１実施例の無線通信中継装置（以下「ハンディ通信ターミナル１０」という。）は、バッテリが内蔵された小型の携帯タイプの無線通信中継装置であり、ＣＦスロット１２、ＣＦインターフェース１４、ＭＰＵ（Ｍｉｃｒｏ  Ｐｒｏｃｅｓｓｉｎｇ  Ｕｎｉｔ）１６、シリアル通信コントローラ１８、Ｂｌｕｅｔｏｏｔｈ無線モジュール２０、メモリコントローラ２２、フラッシュメモリ２４を有している。その他、図示略の、バッテリ、電源コントロールモジュール、所定のスイッチ類、表示用ＬＥＤなどを適宜備えている。
【００１６】  前記ＣＦスロット１２は、ＣＦ−ＰＨＳ通信カード（以下「通信カード３０」という。）が挿入され、これにより通信カード３０のコネクタ部はＣＦスロット１２のコネクタ部に結合し、カードとスロットの各信号線がそれぞれ接続される。
【００１７】  前記ＣＦインターフェース１４は、データをフラッシュメモリ２４に送るための信号送受信に関するタイミングの制御および信号のエンコード／デコードを行う。また、フラッシュメモリ側から送られたデータを通信カード３０を介してＰＨＳ回線網に送るためにも同様にデータをＰＨＳ回線網に送るための信号送受信に関するタイミングの制御および信号のエンコード／デコードを行う。
【００１８】  前記ＭＰＵ１６は、各モジュールを統合的に管理、制御するとともに、各モジュールの一部としても機能する。
【００１９】  前記シリアル通信コントローラ１８は、前記Ｂｌｕｅｔｏｏｔｈ無線モジュール２０が受信した所定の情報端末から送られた通信データを受け取り、メモリコントローラ２２に送る。また、この逆も行う。また、シリアルデータである当該通信データを最終的に通信カード３０へ送るために、パラレルデータに変換する。変換されたパラレルデータはメモリコントローラ２２によってフラッシュメモリ２４に格納される。また、該シリアル通信コントローラ１８においてはＢｌｕｅｔｏｏｔｈの上位層プロトコルに従って処理しさらに上位のプロトコルにあわせて変換し制御する。
【００２０】  前記Ｂｌｕｅｔｏｏｔｈ無線モジュール２０は、当該モジュール内に接続されたアンテナを介して所定の情報端末から送られたデータを受け取り、当該データをＢｌｕｅｔｏｏｔｈの上位層プロトコルへの接続インターフェースとして規定される図示略のＨＣＩ（Ｈｏｓｔ  Ｃｏｎｔｒｏｌ  Ｉｎｔｅｒｆａｃｅ）を介してシリアル通信コントローラ１８に送る。また、この逆の操作も行う。なお、当該Ｂｌｕｅｔｏｏｔｈモジュール２０ではＢｌｕｅｔｏｏｔｈの下位層プロトコルにしたがって通信制御が行われる。
【００２１】  また、前記ＨＣＩは、Ｂｌｕｅｔｏｏｔｈ接続インターフェースとして外部接続の手段として提供されるもので、物理層の上に実装される論理的なインターフェースであり、前記Ｂｌｕｅｔｏｏｔｈ無線モジュール２０を外部から操作するための手段を提供するものである。また、当該Ｂｌｕｅｔｏｏｔｈ接続インターフェースは、無線特有の高精度のタイミング処理を意識することなく扱えるインターフェースとなっている。
【００２２】  前記フラッシュメモリ２４は、記憶保持動作が不要な半導体メモリーであり、メモリコントローラ２２の指令に基づいて、ＣＦインターフェース１４又はシリアル通信コントローラ１８から送られたデータを指定されたアドレス位置に記憶する。また、指定されたアドレス位置のデータを取り出して、ＣＦインターフェース１４又はシリアル通信コントローラ１８に送る。
【００２３】  次に、このように構成された本第１実施例におけるハンディ通信ターミナル１０の使用状態を説明する。まず、本ハンディ通信ターミナル１０は、図１に示すように、前提として前記ＣＦスロット１２に前記通信カード３０が装着されており、前記通信カード３０によってＰＨＳ通信が可能になされている。そのため、ＰＨＳ通信が可能な情報端末との間で、ＰＨＳデータ通信を行うことができ、また、ダイヤルアップ接続によってインターネット網への接続が可能となっている。
【００２４】  また、本ハンディ通信ターミナル１０は、図２に示すように、前記Ｂｌｕｅｔｏｏｔｈ無線モジュール２０によって、Ｂｌｕｅｔｏｏｔｈ通信機能を有するＰＤＡ１００、ノートパソコン１１０、ハンドセット１２０等とＢｌｕｅｔｏｏｔｈ規格に基づいたデータ通信が可能になされている。従って、本ハンディ通信ターミナル１０は、第１の無線通信であるＢｌｕｅｔｏｏｔｈデータ通信と第２の無線通信であるＰＨＳデータ通信とを中継して接続することを可能としている。
【００２５】  ここで、Ｂｌｕｅｔｏｏｔｈデータ通信側であるＰＤＡ１００、ノートパソコン１１０、ハンドセット１２０側からデータを送信する場合における処理を、図３のフローチャートに基づいて説明する。
【００２６】  前記Ｂｌｕｅｔｏｏｔｈデータ通信側であるＰＤＡ１００、ノートパソコン１１０、ハンドセット１２０の何れかから、インターネット網を介して他の情報機器への通信データを送信する処理が実行されると、ステップ１０５で前記ハンディ通信ターミナル１０は前記Ｂｌｕｅｔｏｏｔｈ無線モジュール２０によるＢｌｕｅｔｏｏｔｈデータ通信によって通信データを受信する。
【００２７】  通信データを受信した前記ハンディ通信ターミナル１０は、ステップ１１０で該通信データを順次フラッシュメモリ２４への格納を開始し、同時にステップ１１５で前記通信カード３０を起動して、ＰＨＳ回線からダイヤルアップによるインターネット網への接続処理を開始する。この場合に、通常の場合、ＰＨＳ公衆回線接続処理、ログオン、及び認証処理等が行われるため、インターネット網への接続処理には数十秒から一分程度の時間を要している。
【００２８】  そして、ステップ１２０で、インターネット網への接続処理が完了したかどうかが確認され、インターネット網への接続処理が完了していれば、ステップ１２５で前記フラッシュメモリ２４に格納された前記通信データを、順次インターネット網を介して指定された他の情報機器に対して送信する。そして、ステップＳ１３０で全ての通信データの送信が完了したのが確認されると処理を終了する。
【００２９】  次に、ＰＨＳデータ通信側である他の情報機器からデータを送信する場合における処理を、図４のフローチャートに基づいて説明する。ＰＨＳデータ通信側である他の情報機器側から、インターネット網、ＰＨＳ網を介してＢｌｕｅｔｏｏｔｈデータ通信側のＰＤＡ１００、ノートパソコン１１０、ハンドセット１２０の何れかへの通信データを送信する処理が実行されると、ステップ２０５で前記ハンディ通信ターミナル１０は、通信カード３０によって他の情報機器からインターネット網を介したＰＨＳデータ通信による通信データを受信する。
【００３０】  通信データを受信した前記ハンディ通信ターミナル１０は、ステップ２１０で該通信データを順次フラッシュメモリ２４への格納を開始し、同時にステップ２１５で前記Ｂｌｕｅｔｏｏｔｈデータ通信側のＰＤＡ１００、ノートパソコン１１０、ハンドセット１２０の何れかへのＢｌｕｅｔｏｏｔｈ通信による接続処理を開始する。この場合に、通常の場合、前記ハンディ通信ターミナル１０と前記Ｂｌｕｅｔｏｏｔｈデータ通信側のＰＤＡ１００、ノートパソコン１１０、ハンドセット１２０の何れかとのＢｌｕｅｔｏｏｔｈ通信を行うためＢｌｕｅｔｏｏｔｈセッション処理に数十秒から一分程度の時間を要している。
【００３１】  そして、ステップ２２０で、Ｂｌｕｅｔｏｏｔｈセッション処理が完了したかどうかが確認され、Ｂｌｕｅｔｏｏｔｈセッション処理が完了していれば、ステップ２２５で前記フラッシュメモリ２４に格納された前記通信データを、順次Ｂｌｕｅｔｏｏｔｈ通信を介して指定されたＰＤＡ１００、ノートパソコン１１０、ハンドセット１２０の何れかに対して送信する。そして、ステップＳ２３０で全ての通信データの送信が完了したのが確認されると処理を終了する。
【００３２】  以上のように本第１実施例におけるハンディ通信ターミナル１０によれば、ＰＨＳ通信とＢｌｕｅｔｏｏｔｈ通信との無線通信中継時に、先に通信が確立した送信側から受信した中継する情報を一旦前記フラッシュメモリ２４に格納した後、他側へ送信するため、受信側へのＢｌｕｅｔｏｏｔｈセッション処理、公衆回線接続処理、ログオン、或いは認証処理中であっても、送信側から送られた情報を前記フラッシュメモリ２４に格納することができる。
【００３３】  そして、受信側への接続が完了した時点で前記フラッシュメモリ２４に格納された情報を受信側へ送信する。そのため、所謂「データの先読み機能」と同様な効果を得ることができ、受信側へのＢｌｕｅｔｏｏｔｈセッション処理、公衆回線接続処理、ログオン、或いは認証処理などに要する時間を無駄にすることなく有効に処理が行われるため、総合的な情報の送受信処理にかかる時間を大幅に短縮することが可能になるとともに、データの送信処理を安定させることができる。
【００３４】  また、本ハンディ通信ターミナル１０で情報消去操作がなされるまで、送受信したデータを前記フラッシュメモリ２４に保存するようにしておけば、万一、送受信した情報が破損した場合であっても、前記フラッシュメモリ２４に格納されている情報を受信側へ供給することで、破損した情報を補完することが可能になる。
【００３５】  また、本ハンディ通信ターミナル１０は、更に、データの送受信履歴が保存されるように構成しておけば、それまでの情報の通信履歴が残ることになるため、通信履歴データをデータベースに保存したり、プリンタなどで通信履歴を印刷することにより、通信履歴の確認、保存が可能になる。
【００３６】  また、本ハンディ通信ターミナル１０は、バッテリが搭載可能になされた携帯型であるため、携帯型ストレージとしての機能も有することになる。
【第２実施例】
【００３７】  本発明の実施の形態としての第２実施例を、図面を利用して以下に説明する。本第２実施例の無線通信中継装置（以下「通信ターミナル５０」という。）は、据置タイプの無線通信中継装置であり、ＤｏＰａモジュール５２、ＭＰＵ５４、ワイヤレスＬＡＮ（無線ＬＡＮ）モジュール５６、メモリコントローラ５８、フラッシュメモリ６０、ＵＳＢインターフェースコントローラ６２を有している。その他、図示略の、バッテリ、電源コントロールモジュール、所定のスイッチ類、表示用ＬＥＤなどを適宜備えている。
【００３８】  前記ＤｏＰａモジュール５２は、データをフラッシュメモリ６０に送るための信号送受信に関するタイミングの制御および信号のエンコード／デコードを行う。また、フラッシュメモリ６０側から送られたデータをＤｏＰａ回線網に送るためにも同様にデータをＤｏＰａ回線網に送るための信号送受信に関するタイミングの制御および信号のエンコード／デコードを行う。
【００３９】  ＭＰＵ５４は、各モジュールを統合的に管理、制御するとともに、各モジュールの一部としても機能する。
【００４０】  前記ワイヤレスＬＡＮモジュール５６は、図示略のアンテナユニット、ＲＦ回路、コントローラーなどから構成されており、ＩＥＥＥ８０２．１１に準拠してワイヤレスＬＡＮベースステーションとして機能することにより複数のワイヤレスＬＡＮ端末への接続を可能とする機能を有している。そして、前記ＲＦ回路は、アンテナユニットにて受信されたＲＦ信号（無線周波数信号）に所定の処理を施して、ベースバンド信号からなる受信パケットを得る一方、ベースバンド信号からなる送信パケットに所定の処理を施してＲＦ信号を生成し、前記アンテナユニットへ供給する。また、前記コントローラーは、前記ＲＦ回路から供給されるベースバンド信号からなる受信パケットから受信データを抽出して前記ＭＰＵ５４へ供給する一方、該ＭＰＵ５４からの送信データをベースバンド信号からなる送信パケットに変換して前記ＲＦ回路へ供給する。また、シリアルデータである通信データを最終的に前記ＤｏＰａモジュール５２へ送るために、パラレルデータに変換する。変換されたパラレルデータはメモリコントローラ５８によってフラッシュメモリ６０に格納される。
【００４１】  フラッシュメモリ６０は、記憶保持動作が不要な半導体メモリーであり、メモリコントローラ５８の指令に基づいて、前記ＤｏＰａモジュール５２又はワイヤレスＬＡＮモジュール５６から送られたデータを指定されたアドレス位置に記憶する。また、指定されたアドレス位置のデータを取り出して、前記ＤｏＰａモジュール５２又はワイヤレスＬＡＮモジュール５６に送る。
【００４２】  ＵＳＢインターフェースコントローラ７０は、ホスト側のＵＳＢホストコントローラーとの通信を制御し、入ってくるパケットの検出、パケットの送信、パケットＩＤの生成や解読、ＵＳＢシリアルデータとパラレルデータの変換などを行う。
【００４３】  次に、このように構成された本第２実施例における通信ターミナル５０の使用状態を説明する。まず、本通信ターミナル５０は、図５に示すように、前提として前記ＤｏＰａモジュール５２によってＤｏＰａネットワーク通信が可能になされている。そのため、図６に示すように、ＤｏＰａネットワーク通信が可能なモニタ１４０との間で、ＤｏＰａデータ通信を行うことができる。また、本通信ターミナル５０は、図示略のＵＳＢポートを有しており、図５及び図６に示すように、ＵＳＢプリンタ８０とＵＳＢケーブルによって接続されている。
【００４４】  また、本通信ターミナル５０は、図６に示すように、前記ワイヤレスＬＡＮモジュール５６によってワイヤレスＬＡＮベースステーションとして機能し、ワイヤレスＬＡＮ通信機能を有するワイヤレスＬＡＮ端末である複数のＣＣＤカメラユニット１３０とＩＥＥＥ８０２．１１規格に基づいたデータ通信が可能になされている。従って、本通信ターミナル５０は、第１の無線通信であるワイヤレスＬＡＮデータ通信と第２の無線通信であるＤｏＰａデータ通信とを中継して接続することを可能としている。
【００４５】  そして、ＤｏＰａ通信とワイヤレスＬＡＮデータ通信との無線通信中継時に、前記第１実施例と略同一の制御によって、先に通信が確立した送信側から受信した中継する情報を一旦前記フラッシュメモリ６０に格納した後、他側へ送信する。そのため、受信側へのワイヤレスＬＡＮセッション処理、ＤｏＰａ網公衆回線接続処理、ログオン、或いは認証処理中であっても、送信側から送られた情報を前記フラッシュメモリ６０に格納することができる。
【００４６】  そして、受信側への接続が完了した時点で前記フラッシュメモリ６０に格納された情報を受信側へ送信する。そのため、所謂「データの先読み機能」と同様な効果を得ることができ、受信側へのワイヤレスＬＡＮセッション処理、ＤｏＰａ網公衆回線接続処理、ログオン、或いは認証処理などに要する時間を無駄にすることなく有効に処理が行われるため、総合的な情報の送受信処理にかかる時間を大幅に短縮することが可能になるとともに、データの送信処理を安定させることができる。
【００４７】  また、前記モニタ１４０から前記ＣＣＤカメラユニット１３０の何れかに対して映像データの送信要求が行われた場合において、前記ＣＣＤカメラユニット１３０から送信される映像データは通信ターミナル５０のフラッシュメモリ６２一旦格納されるため、モニタ１４０側でストレージ機能を有していなくても、送信された映像データを保存しておくことができ、必要に応じて再度当該映像データを見て確認することが可能になる。また、前記ＵＳＢインターフェースコントローラ７０から前記ＵＳＢプリンタ８０にデータを送信することで、送信された映像データをプリントアウトすることも可能になる。
【００４８】  また、本通信ターミナル５０は、更に、データの送受信履歴が保存されるように構成しておけば、それまでの情報の通信履歴が残ることになるため、通信履歴データをデータベースに保存したり、前記ＵＳＢプリンタ６０で通信履歴を印刷することにより、通信履歴の確認、保存が可能になる。
【００４９】  なお、本発明は、上記各実施例の構成のみに限定されるものではなく、多様な態様が可能である。例えば、上述した各実施例の無線通信中継装置では、中継する通信手段としてＰＨＳ、ＤｏＰａ、Ｂｌｕｅｔｏｏｔｈ、ワイヤレスＬＡＮの場合を例示しているが、それのみに限定されるものではなく、ＦＯＭＡや或いは新たに今後開発されるような方式など、任意の方式でよい。
【００５０】  また、記憶装置に格納された情報は、所定の時間や日数が経過した後、自動的に消去されるようにしてもよく、また格納された情報の量が所定のレベルを超えた場合に、古いデータから順次消去するようにしてもよい。
【図面の簡単な説明】
【００５１】
【図１】第１実施例の無線通信中継装置の構成を示すブロック図である。
【図２】第１実施例の無線通信中継装置の使用状態を示す説明図である。
【図３】第１実施例の無線通信中継装置におけるブルートゥース側からの送信フローを示すフローチャートである。
【図４】第１実施例の無線通信中継装置におけるＰＨＳ側からの送信フローを示すフローチャートである。
【図５】第２実施例の無線通信中継装置の構成を示すブロック図である。
【図６】第２実施例の無線通信中継装置の使用状態を示す説明図である。
【符号の説明】
【００５２】  １０、５０…無線通信中継装置
１２…カードスロット
２０５２、５６…無線通信機能
２４、６０…記憶装置
３０…機能拡張カード
【図１】
2005027265.tif 000003
【図２】
2005027265.tif 000004
【図３】
2005027265.tif 000005
【図４】
2005027265.tif 000006
【図５】
2005027265.tif 000007
【図６】
2005027265.tif 000008